Podtech/llm-jp-corpus-v4-ja_patent huggingface dataset:
(57)【要約】      （修正有）【課題】アスファルト及びコンクリートなどの硬質石材敷設面の隙間から生える雑草を切除する除草用具を提供する。【解決手段】この除草具１は、コンクリート、アスファルト、敷石などの硬質床材の隙間に生えた雑草４の除草作業に於いて、持ち手部３を持ち、基部２を雑草４の根本に挿入し、先端部を擦りつけることで、雑草４を切断する。基部２は、曲面のみで構成された波形の断面が形成されている。この断面を持つ基部２は、コンクリート、アスファルト、敷石などの硬質床材により、波板部先端が摩耗され、波刃が形成される。このため、切断力を失うことなく切断力を維持できる。【選択図】図２
0003167722.tif 000002
【実用新案登録請求の範囲】
【請求項１】
凸方向への円弧辺を持つ金属板面に、凸方向への円弧辺に対して垂直方向に
所定幅による連続した円弧にて形成した波形断面を持つことを特徴とする除草具。
【考案の詳細な説明】
【技術分野】
【０００１】
本考案は、コンクリート、アスファルト、敷石などの硬質石材の敷設面の隙間に生えた雑草を切除するための除草具に
関するものである。
【背景技術】
【０００２】
従来、コンクリート、アスファルト、敷石などの隙間に生えた雑草の除草作業には、大型のものは毟り取るが、小型の
雑草は刃物などで切除していた。
【先行技術文献】
【特許文献】
【０００３】
【特許文献１】登録実用新案第３１５６５３０号
【考案の概要】
【考案が解決しようとする課題】
【０００４】
しかしながら、刃物の刃先がコンクリート、アスファルト、敷石などに接触し切断力を失うため、作業量に応じた刃物
を用意するなど効率が悪い。
そこで、この考案は、コンクリート、アスファルト、敷石などに接触しても切断力を失わない除草具を提供することを
課題とする。
【課題を解決するための手段】
【０００５】
以上の課題を解決するために、請求項１を特徴とする構成により解決する。
請求項１では、凸方向への円弧辺を持つ金属板面に、凸方向への円弧辺に対して垂直に所定幅による連続した円弧にて
形成した波形断面を持つことで、先端が摩耗することで波刃が形成されるようにした。
【考案の効果】
【０００６】
本考案の請求項１によれば、
コンクリート、アスファルト、敷石などの隙間に生えた雑草の除草作業時に、刃先があたっても、使用に伴い摩耗する
ことで波刃が形成されるため、切断力を失うことなく、除草作業を効率的にできるようになった。
【図面の簡単な説明】
【０００７】
【図１】この考案の一実施形態を示す略線的斜視図である。
【図２】この考案の使用状況を示す略線的側面図である。
【図３】基部２を示す略線的斜視図である。
【図４】基部２の波刃形成状況を示す略線的斜視図である。
【図５】の実施形態を示す略線的斜視図である。
【考案を実施するための形態】
【０００８】
以下、本考案における好ましい実施例について、添付図面を参照しながら説明する。
図１及び、図２において、１は全体として本考案による除草具を示し、波形板である基部２と、持ち手部３とで構成さ
れている。
実際上、この除草具１は図２に示すとおり、コンクリート、アスファルト、敷石などの硬質床材の隙間に生えた雑草４
の除草作業に於いて、持ち手部３を持ち、基部２を雑草４の根本に挿入し、先端部を擦りつけることで、雑草４を切断
する。
基部２は図３に示すとおり、曲面のみで構成された波形の断面が形成されている。
この断面を持つ基部２は図２で示した使用方法に伴い、コンクリート、アスファルト、敷石などの硬質床材により、波
板部先端が摩耗され、図４で示すとおり波刃が形成される。
このため、図２で示した使用状況下に於いて、切断力を失うことなく切断力を維持できる。
【実施例】
【０００９】
図5に示すとおり、持ち手部３は任意の形態でも良い。
【符号の説明】
【００１０】
１  除草具
２  基部
３  持ち手部
４  硬質石材の敷設面の隙間に生えた雑草
【図１】
0003167722.tif 000003
【図２】
0003167722.tif 000004
【図３】
0003167722.tif 000005
【図４】
0003167722.tif 000006
【図５】
0003167722.tif 000007
(57)【要約】      （修正有）【課題】背中を伸ばす際に冷えるのを防ぎ、温めることにより血行を良くする背伸ばし矯正具を提供する。【解決手段】背伸ばし矯正具に使い捨てカイロ保持具を任意の場所に取り付けた上に背中を乗せ、背中を暖めながら背筋を伸ばすことができる。暖めることにより気持ちよく背中を伸ばすことができ健康を増進することや、体をリラックスする事が期待される。【選択図】図３
0003167761.tif 000002
【実用新案登録請求の範囲】
【請求項１】
背中にあて  背骨をのばす橋梁状の背伸ばし矯正具で  背中にあたる部位に市販の使い捨てカイロを着脱可能にした事を特徴とする背伸ばし矯正具
【考案の詳細な説明】
【技術分野】
【０００１】本考案は背骨を伸ばす背伸ばし矯正具に関するものである。
【背景技術】
【０００２】従来の背伸ばし矯正具には身体を仰向けにし  背中を橋梁状の矯正具の上に乗せて背筋を伸ばすものがある。
【考案の開示】
【考案が解決しようとする課題】
【０００３】従来の背伸ばし矯正具には身体を仰向けにし  背中を橋梁状の矯正具の上に乗せて背筋を伸ばすが  背中を乗せた矯正具の下側に空間があり  使用時に背中を冷やしてしまう事がある。
【課題を解決するための手段】
【０００４】［図１］の橋梁状の矯正具に［図２］の使い捨てカイロ保持装置をとりつけた本考案を提供する。
【考案の効果】
【０００５】本考案では使い捨てカイロが背中を暖め  背中を伸ばす際に冷えるのを防ぎ、暖めることにより血行を良くする作用もある。
【実施例】
【０００６】［図３］は本考案の橋梁状の背伸ばし矯正具で  使い捨てカイロ部を好みの位置に置くことにより  ［図４］のように背中を暖めて気持ちよく伸ばすことができる。
【産業上の利用可能性】
【０００７】暖めることにより気持ちよく背中を伸ばすことができ健康を増進することや  体をリラックスする事が期待される。
【図面の簡単な説明】
【０００８】
【図１】本考案の使い捨てカイロを取り付けるための橋梁状の矯正具
【図２】使い捨てカイロ保持装置
【図３】本考案の使い捨てカイロを任意の位置に取り付けた橋梁状背伸ばし矯正具
【図４】本考案の使い捨てカイロを取り付けた橋梁状背伸ばし矯正具で背筋を伸ばた使用例
【図１】
0003167761.tif 000003
【図２】
0003167761.tif 000004
【図３】
0003167761.tif 000005
【図４】
0003167761.tif 000006
【手続補正書】
【提出日】平成23年2月17日(2011.2.17)
【手続補正１】
【補正対象書類名】実用新案登録請求の範囲
【補正対象項目名】全文
【補正方法】変更
【補正の内容】
【実用新案登録請求の範囲】
【請求項１】
背中にあて  背骨をのばす橋梁状の背伸ばし矯正具で  背中にあたる部位に背中を暖めるためのカイロをつけた背伸ばし矯正具
(57)【要約】      （修正有）【課題】指先の不自由な方やお年寄りでも開けやすい密封パック簡易開封ツマミを提供する。【解決手段】密封パックのチャック上部にある開封口に指先で簡単につまむ事のできる領域をつまみや段差で設ける。【選択図】図１
0003167770.tif 000002
【実用新案登録請求の範囲】
【請求項１】
密封パックのチャック上部にある開封口に指先で簡単につまむ事の可能な領域をつまみや段差で設ける事により、密封パックを開封し易く改良したところを特徴とする密封パック簡易開封ツマミ
【考案の詳細な説明】
【技術分野】
【０００１】  本考案は、密封パックの開封部分にツマミを設けた、袋に関するものである。
【背景技術】
【０００２】  市販されている菓子や食料品、その他多種の袋に保存用の簡易的なチャックが着いていて、一度開封した後も再度密封することができていた。
【先行技術文献】
【特許文献】
【非特許文献】
【考案の概要】
【考案が解決しようとする課題】
【０００３】  密封パックは、チャックのやや上部に開封口があるが、概ねその開封口は前面裏面共に平行になり、且つ両面が密着する事も多く、開け辛い。
【課題を解決するための手段】
【０００４】  本考案は、開封口片面に段差若しくは簡易的なツマミを設ける事によって指通りを改善し、前述の欠点を解決しようとするものである。
【考案の効果】
【０００５】  全く重なり合った薄い紙やビニール等を指先で剥離するという動作は、想像以上に繊細な作業であり、少なからず神経を使う。
本考案では、開封口に指先で安易につまめる部位を設ける事により、健常者のみならず、指先の不自由な方やお年寄りへも飛躍的な開け易さの向上を等しく提供する。
【図面の簡単な説明】
【０００６】
【図１】本考案の密封パック簡易開封ツマミの一実施例を示す正面図である。
【図２】本考案を設けた袋の断面図である。
【図３】図１の形状変化の一実施例である
【図４】図３の断面図である。
【符号の説明】
【０００７】１    キリトリ線
２    チャック
３    密封パック本体
４    開封口の高さの範囲
【図１】
0003167770.tif 000003
【図２】
0003167770.tif 000004
【図３】
0003167770.tif 000005
【図４】
0003167770.tif 000006
(57)【要約】      （修正有）【課題】犬の糞の消臭、殺菌等を行えるようにし、公衆衛生、公衆道徳等のマナーを維持するのに好適で、携帯に便利な犬用糞取り器を提供する。【解決手段】犬の糞をすくい上げる機能を有するシャベル形状の本体１と、この本体１の後端部に除臭剤スプレーを収納する為のスペース９を備えた握り手部２で構成され、汚物をかき集めるハケ３が握り手部２の上部４に収納されている。使用に当たっては、犬の糞をハケ３にてかき集め、本体１にてすくい上げる。すくい上げられた糞は、本体底部に設けた貫通口を通り、ビニール袋６に集める。更に臭いを除去したり除菌を処理するため除臭剤スプレーを散布する。【選択図】図１
0003167764.tif 000002
【実用新案登録請求の範囲】
【請求項１】
犬の糞をすくい上げるシャベル形状の本体と、この本体の後端部に設けた徐臭、殺菌等の薬剤スプレー容器を収納するスペースを有する握り手部と、前記本体底部に設けた貫通孔と、この貫通孔の外周に設けた汚物収納用の袋を装着するための袋脱着部とを備えたことを特徴とする犬用糞取り器。
【請求項２】
前記に握り手部の上部に汚物をかき集めるためのハケを収納するための収納部を設けたことを特徴とする請求項１に記載の犬用糞取り器。
【考案の詳細な説明】
【技術分野】
【０００１】  本考案は、犬用糞取り器に関し、特に脱糞した犬の糞の消臭、殺菌等を行えるようにし公衆衛生、公衆道徳等のマナーを維持するのに好適な犬用糞取り器に係る。
【背景技術】
【０００２】  昨今のペットブームを反映して愛犬者も多い。犬の散歩は犬の運動能力を維持し、様々な刺激を与えることで脳を刺激し、各機能の活性化を図ることができるので好ましい。また、犬にとっても格好のストレス解消の機会となり、嬉しく楽しいものであろう。
一方、犬を散歩に連れて行くと、自然の生理現象により道路等に脱糞を行う場合もしばしばある。【０００３】  かかる場合に、そのまま放置し、そしらぬ顔で退散する輩もいるが、糞にハエ、蚊などが集まり公衆衛生上、延いては環境汚染にも結び付き好ましくない。また、愛犬者としてのマナーとしても嘆かわしい限りである。
他方、これら公衆衛生、公衆道徳を守った真の愛犬者も多く、彼らはシャベル、袋など何等かの糞処理道具を持参して犬の散歩を行っている。【０００４】  例えば、実用新案登録第３１４４１１０号公報に開示されたものは、犬の糞便処理キャッチャーである。
この糞便処理キャッチャーは、犬の散歩を行う者が当該キャッチャーを持参し、犬が便意を催した際に、袋を固定したプラスチック本体の開口部を犬の尻に当てがい、当該袋内に糞を落下させ、人の手を汚すことなく糞処理を行えるようにしたものである。
【先行技術文献】
【０００５】
【特許文献１】  実用新案登録第３１４４１１０号
【考案の概要】
【考案が解決しようとする課題】
【０００６】  しかしながら、上記の糞便処理キャッチャーでは、比較的大型で携帯に不便であり、特に袋を固定した本体の開口部を犬の尻に当てるために、犬の気分を損ね、思うように袋内に脱糞をしてくれないという難点がある。
本考案は、上記の点に鑑みてなされたもので、比較的小型で携帯に便利であり、かつ、犬の脱糞後の処理を衛生的に行い得る犬用糞取り器を提供することを目的とする。
【課題を解決しようとする手段】
【０００７】  請求項１に記載の犬用糞取り器は、犬の糞をすくい上げるシャベル形状の本体と、この本体の後端部に設けた徐臭、殺菌等の薬剤スプレー容器を収納するスペースを有する握り手部と、前記本体底部に設けた貫通孔と、この貫通孔の外周に設けた汚物収納用の袋を装着するための袋脱着部とを備えたことを特徴とする。
【０００８】  上記の構成により、犬の脱糞後の糞をシャベル形状の本体ですくい上げると、糞は、本体底部の貫通孔から当該貫通孔の口縁部に装着したビニール等の袋内に落下し、袋ごと糞処理が可能となる。
また、必要に応じて握り手部から薬剤スプレー容器を取り出し、糞に薬液を散布することにより消臭、殺菌等を行うことができる。
【０００９】  請求項２に記載の犬用糞取り器は、前記に握り手部の上部に汚物をかき集めるためのハケを収納するための収納部を設けたことを特徴とする。
上記の構成により、当該ハケを取り出し、脱糞後の糞をハケでかき集め、シャベル形状の本体を介して袋内に糞をスムーズに送ることができる。
【考案の効果】
【００１１】    本考案は、上記のように構成したので、概略以下のような効果を奏する。
（１）比較的小型で携帯に便利である。
（２）袋の脱着及び糞処理が容易に行える。
（３）ハケを備えているので、軟らかい便でも容易にかき集めることができる。
（４）握り手部に徐臭、殺菌等の薬剤スプレー容器が収納してあるので、必要に応じて取り出し、糞にかけることにより消臭、殺菌等を行うことができる。
【図面の簡単な説明】
【００１２】
【図１】本考案の犬用糞取り器の外観図である。
【図２】同じくその側面図である。
【図３】上記犬用糞取り器における本体部分の縦断面図である。
【図４】同じく上記本体部分の背面図である。
【図５】上記本体部の収納部に収納されるスプレー容器の側面図である。
【図６】上記本体上部に収納されるハケを示し、同図（Ａ）はその平面図、同図（Ｂ）はその側面図である。
【実施例】
【００１３】  以下、本考案を図面に基づいて説明する。図１は本考案犬用糞取り器の斜視図であって、本体１は犬用糞取り器の全体を示す。本体は薄い金属又はプラスチックで製造される。犬の糞をすくい上げる機能を有するシャベル形状の本体１と、この本体１の後端部に握り手部２にて構成させている。付属品として、汚物をかき集める為のハケ３と、除臭剤スプレー８がある。握り手部２の上部にハケ３の収納スペース４があり、同じく握り手部２の内部に除臭剤スプレー８の収納スペース９がある。本体１の底部には貫通孔５があり、この貫通孔５の外周に汚物収納用のビニール袋を装着する為のガイド部７を備え、ここに市販のビニール袋６を取付け用バンド１０にて固定することができる。
本考案の使用方法について説明する。犬の糞をシャベル形状の本体１よりシャベルで、すくい上げる様に納める。取りにくい場合は付属品のハケ３を収納場所より取り出し、かき集めて本体１に収める。そのまま本体貫通孔５に糞が入るように本体１をすくい上げる。すくい上げられた糞は、本体底部に設けた貫通孔５を通り、ビニール袋６に集められる。更に必要に応じて、除臭・除菌処理する上で除臭剤スプレー８が除臭剤収納スペース９に収納されているので、取り出して糞やその周辺に散布を行う。
【符号の説明】
【００１４】１        本体
２        握り手部
３        ハケ
４        ハケ収納スペース
５        本体貫通孔
６        ビニール袋
７        ビニール袋装着用のガイド部
８        徐臭剤スプレー
９        徐臭剤スプレー収納スペース
１０      ビニール袋取り付け用バンド
【図１】
0003167764.tif 000003
【図２】
0003167764.tif 000004
【図３】
0003167764.tif 000005
【図４】
0003167764.tif 000006
【図５】
0003167764.tif 000007
【図６】
0003167764.tif 000008
(57)【要約】      （修正有）【課題】外耳道の衛生状態を保つ衛生部材付きイヤホーンを提供する。【解決手段】３〜５平方ｃｍの極薄の不織布からなる殺菌剤を含有した衛生部材をスピーカー部の凸出部に密着させる。【選択図】図１
0003167759.tif 000002
【実用新案登録請求の範囲】
【請求項１】
除菌処理を施した衛生部材をスピーカー部の凸出部に装着した衛生部材付きイヤホーン。
【考案の詳細な説明】
【技術分野】
【０００１】    この考案は、衛生部材付きイヤホーンに関するものである。
【背景技術】
【０００２】  従来、ラジオやデジタルオーディオプレーヤーに、イヤホーンのジャックを差し込んだ後、スピーカー部に設けた凸出部を耳の外耳道に差し込んで音声、音楽等を楽しむ人々が大勢いる。本考案者もその一人である。
【考案の概要】
【考案が解決しようとする課題】
【０００３】  長年、習慣的に上述の使い方をしていたら、耳の外耳道に皮膚炎を患い（外耳炎）、現在はイヤホーンを使用できない状態まで悪化した。
外耳道は耳の穴から鼓膜まであり、外耳炎は外耳道の皮膚を傷つけてしまい、そこからカビや細菌が感染し、炎症を起こすことである。
原因は耳かきで皮膚に傷をつける、又は汚水や整髪剤などが耳に入ると外耳炎にかかりやすくなると言われている。
症状は耳を引っ張ったり押すと患部が痛み、ご飯を噛んだり、飲み込むときにもあごを動かすと痛みが生じるため食事も困難になる。
腫れてくると、外耳道を防いで耳鳴りが起こり、耳の周囲のリンパ腺が腫れてくる。外耳炎が慢性化すると激しい耳の痛みや耳漏を伴う悪性外耳炎を起こし、皮膚だけでなく骨にまで進行して他の病気を併発させ、生命に関わることもある。
本考案者は、この治療に長年苦しんできた一人であるが、外耳炎になる原因については、思い当たることはなかった。つまり、耳かきで傷をつけたこともない、汚水や整髪剤（使用しないから）が外耳道に入ったこともない。
このようなことから、なぜ、本考案者にそのような外耳炎を患わすことになったのか、いろいろ考察するに内に、一つの結論を得ることができた。
つまり、イヤホーンのスピーカーの凸出部を狭い外耳道に差し込み、長時間そのまま使用するとか、繰り返し差し込こんでいるうちに、外耳道の表面が汗で濡れたり、傷ついたり、汚れた指先で触ることから炎症を起こしたりすると考察した。
そこで、除菌処理がされ皮膚にやさしい柔らかい衛生部材を凸出部に装着することによって、外耳炎予防の衛生部材付きイヤホーンを提供するものである。
【課題を解決するための手段】
【０００４】  上記の問題を解決するために、除菌処理を施した衛生部材をスピーカー部の凸出部に装着した衛生部材付きイヤホーンである。
【考案の効果】
【０００５】  したがって、外耳道の皮膚表面が除菌された状態であるので、外耳炎の予防効果になり、また、外耳炎になったとしても衛生部材によって、治療効果が促進されるのである。
イヤホーンを使用するとき、外耳道が衛生部材によって衛生状態が保たれるので、その他の耳の病気、中耳炎等発生の予防にもなる。
【図面の簡単な説明】
【０００６】
【図１】本考案の説明図
【図２】本考案の衛生部材の説明図
【図３】本考案に係る耳の説明図
【図４】本考案の他の実施例図
【図５】本考案の他の実施例図
【考案を実施するための形態】
【０００７】  以下、本考案の実施例について説明する。
外耳炎には、外耳道全域をきちんと手入れをして清潔にしておかないと、外耳炎にかかりやすくなる。
【０００８】  そこで、イヤホーン本体（１）のスピーカー部（２）の凸出部（３）に衛生部材（４）を装着する。
【０００９】  衛生部材（２）は図２に示すように極薄の不織布からなるもので、大きさ約３ｃｍ〜５ｃｍ平方で、水とエタノール、パラベン等の殺菌剤を含有したものであり、これを凸出部（３）に密着し装着する。衛生部材（４）には水分が含まれているので、凸出部（４）に巻くだけでしっかり固定できるのである。
【００１０】  また、衛生部材（５）は極薄の不織布であるためにスピーカー部（２）から流れる音声、音楽の音質を損なうことはない。
【００１１】  図２では１枚の不織布の状態を示しているが、これを複数重ねて外周をセロハンやビニール包装で密封しておけば、必要時に開封しとりだして取り出して使用できることは言うまでもない。また、不織布の大きさは上記に示したものに限定するものでもない。
図３は耳の外耳道（６）の説明図であるが、図４に示すイヤホーン本体（１）の凸出部（７）の形状はよく見られるものである。
【００１２】  これに対応する衛生部材は、予め円筒状に成形した衛生部材（８）にして、装着することも可能である。もちろん、上記の衛生部材は粘性樹脂の外周に除菌液体を密接させることによって、外耳道を衛生的に処理することができる。
【００１３】  図５はヘッドホーン型のスピーカー部を示したものであるが、これらの場合は、スピーカー部全体を衛生部材（９）で覆ってしますようにすることによって、耳全体の衛生を保つこともでき、皮膚炎症の予防にもなる。
使用に当たっては、イヤホーンの凸出部に予め衛生部材（８）を密着させた状態で、ユーザーに提供すると同時に、別品として複数重ねセロハンやビニールで密封した衛生部材（８）をイヤホーン本体（１）の付属品として部材として、組み合わせの状態で提供することは言うまでもない。
【符号の説明】
【００１４】１：イヤホーン本体
２：スピーカー部
３：凸出部
４：衛生部材
【図１】
0003167759.tif 000003
【図２】
0003167759.tif 000004
【図３】
0003167759.tif 000005
【図４】
0003167759.tif 000006
【図５】
0003167759.tif 000007
【手続補正書】
【提出日】平成23年2月21日(2011.2.21)
【手続補正１】
【補正対象書類名】実用新案登録請求の範囲
【補正対象項目名】全文
【補正方法】変更
【補正の内容】
【実用新案登録請求の範囲】
【請求項１】
極薄の不織布からなるもので、大きさ約３ｃｍ〜５ｃｍ平方で、水とエタノールの殺菌剤を含有した衛生部材（４）をイヤホーン本体（１）のスピーカー部（２）の凸出部（３）に密着した衛生部材付きイヤホーン。
(57)【要約】      （修正有）【課題】並べ方と使い方の組み合わせバリエーションを増やし、使いやすくした整理、収納、陳列什器を提供する。【解決手段】側板の取り付け位置を適宜変えることで、並べた時にタテ・ヨコ方向に様々なスペースが生まれ、収納スペースとして活用できる。【選択図】図３
0003167752.tif 000002
【実用新案登録請求の範囲】
【請求項１】
住宅、オフィス、ショップにおける独立した箱型収納の側板を、適宜の寸法で内側へセットバックさせることで、箱を並べた時に生じる空間を収納スペースとして利用できる、組立式の整理、収納、陳列什器。
【考案の詳細な説明】
【技術分野】
【０００１】  組立式のボックスを構成するパネルの接合位置と、組みあがったボックスの並べ方を使用者が適宜選べることで、整理方法、陳列方法が多様に展開できる組立式什器。
【背景技術】
【０００２】  通常、独立した個別の箱を並べる収納什器は、タテ、ヨコ形状が同じため、その並べ方と使い方に自由度とバリエーションがなく、単調で不便であった。（写真１）
また、ボックスのタテ、ヨコの外形寸法を同一にすれば、上面、底面がフラットで、高く積み上げた際、横滑りを起こし、転倒しやすく危険であった。
【先行技術文献】
【０００３】
【非特許文献】
【非特許文献】  （独）国民生活センター  見守り新鮮情報  第６７号
【考案の概要】
【考案が解決しようとする課題】
【０００４】  前述の並べ方と使い方の自由度と、積み上げた際の安定を向上させること。
【課題を解決するための手段】
【０００５】  ボックスを構成するパネルを脱着式のジョイント１１ａを使い、行う。ジョイントの接合ポイント１２ａは、何箇所か適宜選べるようにしておく。これにより、同じパネルを使いながらも何種類もの形状２１ａ、２２ａ、２３ａが組み立てられるようになる。側板の取り付け位置がセットバックしていることで、ボックスを並べた時に、空間３１ａが生じ、収納スペースとして利用できる。また、ボックスのタテ、ヨコ、天地を入れ替えても積み上げることができる。（３２ａ）また、セットバックすることで生じるパネルの出っ張り同士を嵌合させることで、横滑りを防ぎ、高く積み上げた時の安定を保つことができる。（３３ａ）
【図面の簡単な説明】
【０００６】
【図１】ボックスパーツン海の斜視図
【図２】ボックスの組立バリエーション図
【図３】ボックスの組合せバリエーション図
【図１】
0003167752.tif 000003
【図２】
0003167752.tif 000004
【図３】
0003167752.tif 000005
(57)【要約】      （修正有）【課題】かぼちゃのかさぶたを、電動力で回転する刃物により取り除くことができる様にした、かぼちゃのかさぶた取り機を提供する。【解決手段】フレーム１に設置された電動モータ２に駆動されて刃物３が回転する。その下にガイド棒４が配置され、かさぶた付かぼちゃ５を刃物に向かって人力で押付けることでかさぶたを取除く。作業者はかぼちゃを刃に向けて押し込み、かさぶた部分を回しながら取除くように動作させる。その押込み量を加減し、且つ、かぼちゃをまわしやすくする目的で、刃物の下部に１個のガイド棒４を設ける。このガイド棒は、かぼちゃを刃に当てるときの支点になって押し込む量を加減することができ、また、かぼちゃを自転させる際のガイドの役割もはたしている。【選択図】図１
0003167757.tif 000002
【実用新案登録請求の範囲】
【請求項１】
電動力を用いて刃物を回転させ、作業者がかぼちゃを刃物に押付けることで、かぼちゃ表面のかさぶたを取除くことを特徴とするかぼちゃのかさぶた取り機。
【請求項２】
上記の装置において、刃物の下部に１個のガイド棒を設け、これが支点となってかぼちゃの押込み量の加減ができるようにし、且つ、かぼちゃ全体をまわしやすくするガイドの役割を持たすことを特徴とするかぼちゃのかさぶた取り機。
【考案の詳細な説明】
【技術分野】
【０００１】  本考案は、かぼちゃに付着したかさぶたを取除く機械に関するものである。
【背景技術】
【０００２】  かぼちゃには、成長する過程でかさぶたのようなものが表面に付着する場合がある。これは品質上には影響はないのであるが、見た目が良くなく商品価値を下げるため、これを取り除いて出荷するのが通例となっている。【０００３】  このかさぶたを取除くには、これまで専用の機械がないために、出荷前に作業者が包丁を用いてその部分を切り落としている。この処理には、かさぶたが硬いためにかなりの労力が必要で、処理時間も多くかかっている。また、このかさぶたは、かぼちゃの表面に張り付いているため曲面の形状になっている。これを包丁で切り落とすには部分的に直線で切断することになり、かぼちゃ本体の表面を一部削ってしまうことがままある。これによって、日持ちが減少し商品価値が下がるとともに、商品の一部を捨てることにもなって、非効率的な作業となっていた。
【考案の概要】
【考案が解決しようとする課題】
【０００４】  かぼちゃにできる表面のかさぶたを取除く作業に関して、作業者が包丁を使って処理していたものを、本考案は、電動力で回転する刃物を設けて機械化することにより処理しようとするものである。
【課題を解決するための手段】
【０００５】  本考案では、電動機に連結して刃物が回転する機構を有している。作業者がかぼちゃを持ってかさぶた部分を刃物に押し当て、刃物がそれらを削り取ることで取除くことができる。刃物は処理時間を少なくするために、外周に複数の刃の付いたものを用いる。
【考案の効果】
【０００６】  本考案によって、かぼちゃ表面の硬い部分に包丁を入れる労力が省けることになり、誰でも容易に、且つ、迅速に処理することができるようになる。また、かぼちゃ本体の身を削ることが少なくなって外観の見栄えが良くなり、商品価値を高めることが可能となる。
【図面の簡単な説明】
【０００７】
【図１】図１はかぼちゃかさぶた取り機の断面図である。（実施例１）
【図２】図２はかぼちゃかさぶた取り機の平面図である。（実施例１）
【考案を実施するための形態】
【０００８】  本考案では、作業者がかぼちゃを刃に向けて押し込み、かさぶた部分を回しながら取除くように動作させる。その押込み量を加減する目的で、且つ、かぼちゃをまわしやすくする目的で、刃物の下部に１個のガイド棒を設ける。このガイド棒は、かぼちゃを刃に当てるときの支点になって押し込む量を加減することができ、また、かぼちゃを自転させる際のガイドの役割もはたしている。
【実施例１】
【０００９】  図１は、本考案装置の１実施例の断面図であって、フレーム１に設置された電動モータ２に駆動されて刃物３が回転する。その下にガイド棒４が配置され、かさぶた付かぼちゃ５を刃物に向かって人力で押付けることでかさぶたを取除く。
【産業上の利用可能性】
【００１０】  本考案はかぼちゃを栽培する農家や団体、および、それを加工、販売する団体において利用される。
【符号の説明】
【００１１】  １    本体フレーム
２    電動モータ
３    刃物
４    ガイド棒
５    かさぶた付かぼちゃ
【図１】
0003167757.tif 000003
【図２】
0003167757.tif 000004
【手続補正書】
【提出日】平成23年2月16日(2011.2.16)
【手続補正１】
【補正対象書類名】実用新案登録請求の範囲
【補正対象項目名】全文
【補正方法】変更
【補正の内容】
【実用新案登録請求の範囲】
【請求項１】
電動機を動力源として刃物を回転させ、刃物の下部に１個のガイド棒を設け、これを支点としてかぼちゃを刃物方向へ容易に押し込む機能を持たせ、且つ、かぼちゃ全体をまわしやすくするガイドの役割を持つことを特徴とするかぼちゃのかさぶた取り機。
(57)【要約】      （修正有）【課題】紙を容易に引き出すことができるトイレットペーパーホルダーの紙出し機を提供する。【解決手段】トイレットペーパーホルダーの、紙巻側である紙切板裏面に、台板・スプリング・紙引出し板及び回転軸による構成物を接着させる。紙切板を押下げると、スプリングが圧縮されると共に紙引出し板の先端は紙巻の表面を支持体側である後方に移動し、紙をカットし、紙切板の押下げが終ると、紙切板はスプリングの反発力によって上昇すると共に、紙引出し板の先端は紙巻を反支持体側である前方に回転させ紙巻の紙の先端部を紙切板の下方に５ｃｍ以上を十分に出現させる。【選択図】図３
0003167747.tif 000002
【実用新案登録請求の範囲】
【請求項１】
紙巻器（トイレットペーパーホルダー）内の紙巻の紙を、紙切板を押下げてカットした際、自動的に紙巻を回転させて残りの紙巻の端末部を、紙切板の下方に５センチメートル以上出現させる。
【請求項２】
請求項１の紙出し機が、紙巻のすべての紙について紙出しするに必要な、補助スプリングの使用。
【考案の詳細な説明】
【技術分野】
【０００１】  本考案は、トイレットペーパーパーホルダー（以降紙巻器と書きます）に取付ける紙出し機に関するものです。
【先行技術文献】
【特許文献】
【０００２】
【特許文献１】  特許平１０−２０１６６１公報
【考案の概要】
【考案が解決しようとする課題】
【０００３】  紙巻器に内蔵されている紙巻の紙を、紙巻器の紙切板を手で押下げてカットしたとき、残った紙の先端部が紙切板の下部に隠れているので、次に使用する際紙を引出すのが容易でない。
【課題を解決するための手段】
【０００４】  紙をカットするとき、紙切板と連動するスプリングを圧縮し、紙切板から手を離したとき、スプリングの反発力によって、残りの紙の端末を十分顔出しさせます。
【考案の効果】
【０００５】  紙巻器の紙切板（カバー）の下部に、常に十分（５センチメートル以上）紙の端末部が出ているので、使用者は大変氣持良く使用でき、特に高齢者や身障者に喜ばれます。
【図面の簡単な説明】
【０００６】
【図１】本考案の紙出し機本体の形状です。
【図２】紙巻が小さくなって紙出し機本体のスプリングの反発力が不足するので、補助するスプリングです。
【図３】紙出し機本体と補助スプリングを、紙巻器に取付けた後の、使用中の状態です。
【図４】一般に使用されている紙巻器に、紙出し機を取付けた正面図。
【図５】一般に使用されている紙巻器に、紙出し機を取付け、使用している状態。
【考案を実施するための形態】
【０００７】  既設の紙巻器又は既製品の紙巻器に、紙出し機を取付ける場合が多いと思われますが、取付ける場所の養生を十分に行い、両面接着テープ又はその他の接着材を使用して取付けます。
【実施例】
【０００８】  以下、添付図面に従って実施例を説明します。図１と図２は紙出し機の部品ですが、何れも材質はステンレスです。【０００９】  図３は、１（紙巻器）の２（紙切板）に紙出し機を、１３（支持体）に５（補助スプリング）を取付けた、使用中の側断面図です。【０００１０】  図４は、紙出し機を取付けた１（紙巻器）内部の正面図です。【０００１１】  以上の様に、５（紙出し機）を１（紙巻器）に取付け、３（紙巻）を入れ、紙を必要量手で引き出した後、手で２（紙切板）を押下げて紙をカットすると、同時に１０（スプリング）が圧縮され、手を２（紙切板）から離しますと１０（スプリング）の反発力で１３（紙引出し板）を動かし、３（紙巻）を回転させ、７（紙の端末）が２（紙切板）の下方に十分（５０ミリメートル以上）出現します。
【符号の説明】
【０００１２】  １    紙巻器
２    紙切板
３    紙巻
４    紙出し機
５    補助スプリング
６    紙巻器取付け用穴
７    紙の端末
８    ストッパー
９    紙巻の軸受
１０  スプリング
１１  回転軸
１２  台板
１３  紙引出し板
１４  支持体
【図１】
0003167747.tif 000003
【図２】
0003167747.tif 000004
【図３】
0003167747.tif 000005
【図４】
0003167747.tif 000006
【図５】
0003167747.tif 000007
【手続補正書】
【提出日】平成22年12月22日(2010.12.22)
【手続補正１】
【補正対象書類名】実用新案登録請求の範囲
【補正対象項目名】全文
【補正方法】変更
【補正の内容】
【実用新案登録請求の範囲】
【請求項１】
この考案は、トイレットペーパーホルダーの、紙切板裏面（紙巻側）に、台板・スプリング・紙引出し板及び回転軸による構成物を接着させ、紙巻の紙を引き出してカットするため紙切板を押下げると、スプリングが圧縮されると共に紙引出し板の先端は紙巻の表面を後方（支持体側）に移動します。
紙をカットし紙切板の押下げが終ると、紙切板はスプ
0003167747.tif 000008
端は紙巻を前方（反支持体側）に回転させ、紙巻の紙の先端部を紙切板の下方に十分（５センチメートル以上）出現させるトイレットペーパーホルダーの紙出し機です。
【請求項２】
請求項１のトイレットペーパーホルダーの紙出し機は、
0003167747.tif 000009
で、トイレットペーパーホルダーの支持体に、補助スプ
0003167747.tif 000010
【手続補正書】
【提出日】平成23年2月18日(2011.2.18)
【手続補正１】
【補正対象書類名】実用新案登録請求の範囲
【補正対象項目名】全文
【補正方法】変更
【補正の内容】
【実用新案登録請求の範囲】
【請求項１】
トイレットペーパーホルダーの、紙巻側である紙切板裏面に、台板・スプリング・紙引出し板及び回転軸による構成物を接着させ、紙巻の紙を引き出してカットするため紙切板を押下げると、スプリングが圧縮されると共に紙引出し板の先端は紙巻の表面を支持体側である後方に移動し、紙をカットし、紙切板の押下げが終ると、紙切板はスプリングの反発力によって上昇すると共に、紙引出し板の先端は紙巻を反支持体側である前方に回転させ紙巻の紙の先端部を紙切板の下方に５センチメートル以上を十分に出現させることを特徴とする、トイレットペーパーホルダーの紙出し機。
【請求項２】
紙巻の紙量が少ないとスプリングの反発力が低下するので、トイレットペーパーホルダーの支持体に補助スプリングを接着したことを特徴とする、請求項１記載のトイレットペーパーホルダーの紙出し機。
(57)【要約】      （修正有）【課題】老人や子供、骨粗鬆症の方も安心して使用できる簡易心肺蘇生器具を提供する。【解決手段】蛇腹管ポンプ１の天井２と底３に衝撃盤４を装着し空気調整弁５を設けた心肺蘇生器具。以下のような構成でこれを使用するときは患者の胸部に当て、浮き輪に空気を入れる要領で胸部を圧迫する。ポンプを押すと上下の衝撃盤がぶつかり合い大きな衝撃と振動が心肺に伝わり蘇生させる。電源の必要がなく軽量コンパクトで携帯にも便利である。蛇腹管のスプリング効果で手や腕の疲労が極端に少ない。空気調整弁で強弱の調整が簡単にできる。【選択図】図１
0003167750.tif 000002
【実用新案登録請求の範囲】
【請求項１】
蛇腹管ポンプの天井部と底部に衝撃盤を装着し空気調整弁を設けた心肺蘇生器具。
【考案の詳細な説明】
【技術分野】
【０００１】  本考案は蛇腹管ポンプに衝撃盤を装着し空気調整弁を設けた心肺蘇生器具に関するものである。
【背景技術】
【０００２】          従来手で行うのが主だが現在ＡＥＤ（自動体外式除細動器）があり装着した電極パッドから自動的に心臓の状態を判断し、もし不整脈だった場合、強い電流を一瞬流して心臓にショックを与えることで正常に戻す機能を持っている。最近は設置している場所も多い。又、研究により心肺蘇生をしてから使用した方がＡＥＤが効きやすくなることが明らかになった。
【考案の開示】
【考案が解決しようとする課題】
【０００３】そのために、次のような問題点があった。
（イ）近年ＡＥＤの設置している場所も増えたが、ＴＰＯ問わず起こりうる心停止に間に合うほどではない。そんな時患者に周囲が即座に対処すべきは心肺蘇生しかない。
しかし手で行う場合、体力の消耗が大きく１００／分を繰り返す事は容易ではない。
又、心肺に衝撃を伝えるには胸骨が４〜５ｃｍ沈む程押すので肋骨が折れる場合も多々ある。
以上のような問題点があった。
【課題を解決するための手段】
【０００４】    蛇腹管ポンプの天井と底の部分に衝撃盤を装着し空気調整弁を設けたことを特徴とした心肺蘇生器具である。
【考案の効果】
【０００５】（イ）蛇腹管のスプリング作用で老人や子供、骨粗鬆症の方にも安心して使用できる。
（ロ）ポンプを押すと上下の衝撃盤がぶつかり合い大きな衝撃と振動が心肺に伝わり蘇生させる。
（ハ）電源の必要がなく軽量コンパクトで携帯にも便利である。
（二）蛇腹管のスプリング効果で手や腕の疲労が極端に少ない。
（ホ）空気調整弁で強弱の調整が簡単にできる。
【考案を実施するための最良の形態】
【０００６】以下、本考案の形態について説明する。
（イ）蛇腹管ポンプ（１）の天井（２）と底（３）の部分に衝撃盤（４）を装着し空気調整弁（５）と空気排出口（６）を設ける。本考案は以上のような構成でこれを使用するときは患者の胸部に当て、浮輪に空気を入れる要領で胸部を圧迫する。
【図面の簡単な説明】
【０００７】
【図１】本考案の正面図
【図２】本考案の上面図
【図３】本考案の底面図
【図４】本考案の背面図
【符号の説明】
【０００８】１  蛇腹管ポンプ
２  天井
３  底
４  衝撃盤
５  空気調整弁
６  空気排出口
【図１】
0003167750.tif 000003
【図４】
0003167750.tif 000004
【図２】
0003167750.tif 000005
【図３】
0003167750.tif 000006
【手続補正書】
【提出日】平成23年2月14日(2011.2.14)
【手続補正１】
【補正対象書類名】実用新案登録請求の範囲
【補正対象項目名】全文
【補正方法】変更
【補正の内容】
【実用新案登録請求の範囲】
【請求項１】
蛇腹管ポンプの天井部と底部に衝撃盤を装着し天井部の側面両側に空気調整弁と空気排出口を設けた心肺蘇生器具。
(57)【要約】      （修正有）【課題】ワイシャツの襟の形を保持することができるワイシャツ襟ピンを提供する。【解決手段】ワイシャツ襟ピンの本体は針金からなり、ワイシャツ襟の形に合わせる三角フレームであり、ワイシャツ襟の外側と内側の二点で固定する。【選択図】図３
0003167745.tif 000002
【実用新案登録請求の範囲】
【請求項１】
ワイシャツ襟ピンの立体図の図２の示した如く、襟ピンの本体は弾力性のある針金により、造り、襟ピン外側の装飾部分図２▲１▼は、襟外側を固定する同時にデザイン・バリエーションがある。襟ピン内側の挟み図２▲２▼は、襟内側を固定する。襟ピン三角フレーム本体図２▲３▼は襟全体形を保持する。
【考案の詳細な説明】
【技術分野】
【０００１】ワイシャツ襟はシャツの最上ボタンを外しても、きちんとの襟形を保持する襟ピンを考案している。
【背景技術】
【０００２】省エネ・環境保護の為にクールビスが流行っている。ノーネクタイによるワイシャツの最上ボタンを外す結果、シャツ襟は形が崩れてしまい、綺麗に見えなくなる。
【先行技術文献】
【特許文献】
【０００３】
【特許文献１】特開２００７−１３８３６６
【特許文献２】特開２００６−３３６１７８
【特許文献３】特開平９−３１７０１
【非特許文献】
【０００４】
【非特許文献１】実用新案登録第３１４４４５４号
【非特許文献２】実用新案登録第３１２７９１５号
【非特許文献３】実用新案登録第３０８１７２５号
【考案の概要】
【考案が解決しようとする課題】クールビスにより、シャツの最上ボタンを外した襟は襟形が崩れてしまい、ワイシャツ襟とその全体のイメージがダウンし、綺麗に見えなくなる。
【課題を解決するための手段】クールビスによるシャツ襟の課題を解決する為に、左右のカラー形を綺麗な襟形を保持するように固定することを特徴とするワイシャツ襟ピンを利用する。
【考案の効果】ワイシャツ襟ピンの三角フレーム構造と挟み固定により、いつも綺麗な襟形を保持する事と襟ピンの装飾効果はワイシャツ襟とその全体のイメージアップが実現できる。
【図面の簡単な説明】
【図１】ワイシャツ襟ピンの使用状態を示す正面図
【図２】ワイシャツ襟ピンの立体図。
【図３】ワイシャツ襟ピンの３正投影図。
【考案を実施するための形態】
この発明の一実施形態を、図１に示す。
立体図の図２の示した如く、襟ピンの本体は弾力性のある針金により、造り、襟ピン外側の装飾部分図２▲１▼は、襟外側を固定する同時にデザイン・バリエーションがある。
襟ピン内側の挟み図２▲２▼は、襟内側を固定する。襟ピン三角フレーム本体図２▲３▼は襟全体形を保持する。
【実施例】針金製のワイシャツ襟ピンの試作品を作り、ワイシャツ襟に取り付けて、襟形の保持と装飾効果が図１のようで設計する通りに出来ている。
【産業上の利用可能性】ワイシャツ襟形の保持と装飾効果による商品性と安価で製作できる市場性がある。
【図１】
0003167745.tif 000003
【図２】
0003167745.tif 000004
【図３】
0003167745.tif 000005
【手続補正書】
【提出日】平成22年9月8日(2010.9.8)
【手続補正１】
【補正対象書類名】実用新案登録請求の範囲
【補正対象項目名】全文
【補正方法】変更
【補正の内容】
【実用新案登録請求の範囲】
【請求項１】
ワイシャツ襟ピンについて
（１）ワイシャツ襟ピンの本体は、弾力性のある針金により、作られる、
（２）ワイシャツ襟ピンの構造は、立体図の図２の示した如く、ワイシャツ襟の形に合わせる三角形フレームで、ワイシャツ襟の外側と内側の二点固定により、ワイシャツ襟に取付け、立派なワイシャツ襟全体形が保持できる、
（３）ワイシャツ襟ピンの外側は、ワイシャツ襟の外側に固定する同時にデザイン・バリエーションにより、装飾的な役割を果たせる、
以上からなるワイシャツ襟ピン。
【手続補正書】
【提出日】平成23年2月21日(2011.2.21)
【手続補正１】
【補正対象書類名】実用新案登録請求の範囲
【補正対象項目名】全文
【補正方法】変更
【補正の内容】
【実用新案登録請求の範囲】
【請求項１】
ワイシャツ襟ピンについて
（１）ワイシャツ襟ピンの本体は、弾力性のある針金により、作られる
（２）ワイシャツ襟ピンの構造は、ワイシャツ襟の形に合わせる三角形フレームで、ワイシャツ襟の外側と内側の二点固定により、ワイシャツ襟に取付け、立派なワイシャツ襟全体形が保持できる
（３）ワイシャツ襟ピンの外側は、ワイシャツ襟の外側に固定すると同時にデザイン・バリエーションにより、装飾的な役割を果たせる
以上からなるワイシャツ襟ピン。
(57)【要約】      （修正有）【課題】高齢者やその家族の負担をできるだけ軽くし、また、経費節減の効果もあるミニシャンプー容器付き洗面器を提供する。【解決手段】洗面器本体の広幅縁取りに、シャンプー又はリンスを小分けして収納したミニシャンプー容器を取り付けて固定する複数の取付孔を設けて、それぞれの取付孔にミニシャンプー容器を取り付けて固定することを特徴とする。【選択図】図１
0003167789.tif 000002
【実用新案登録請求の範囲】
【請求項１】
洗面器本体の広幅縁取りに、シャンプー又はリンスを小分けして収納したミニシャンプ容器を取り付けて固定する複数の取付孔を設けて、それぞれの取付孔にミニシャンプー容器を取り付けて固定することを特徴とするミニシャンプー容器付き洗面器。
【考案の詳細な説明】
【技術分野】
【０００１】  本考案は、洗面器にミニシャンプー容器を取り付けた、ミニシャンプー容器付き洗面器に関するものである。
【背景技術】
【０００２】  通常、銭湯や温泉に行く場合、石けん、シャンプー、洗面器、着替え類はバッグか袋に詰めて持参している。特に最近は女性の場合髪の毛保護としてリンスシャンプーや、石けんの代りにボディーシャンプーも共に持参するようになっている。また、シャンプー類は大型化が進んで、最近では自分専用として使うボディーシャンプー、トニックシャンプー、リンス等は、６００ミリリットルの大型のシャンプー容器が市販されている。これらをかかえて、銭湯や温泉に行くには、特に高齢者やその家族の負担が余りにも重すぎる。そこでこのような負担をできるだけ、軽くするための工夫が必要とされている。
【考案の開示】
【考案が解決しようとする課題】
【０００３】  本考案は、このような高齢者やその家族が負担をしていた問題を解決しようとするものであり、かかる負担をできるだけ軽くし、また、経費節減の効果もあるミニシャンプー容器付き洗面器を提供することを目的とする。
【課題を解決するための手段】
【０００４】  本考案のミニシャンプー容器付き洗面器は、洗面器本体の広幅縁取に、シャンプー又は、リンスを小分けして収納したミニシャンプー容器を取り付けて固定する複数の取付孔を設けて、それぞれの取付孔にミニシャンプー容器を取り付けて固定することを、特徴とする。これによって、通常のサイズや大型のシャンプー容器から、ボディーシャンプー、トニックシャンプー、リンス等を個別にミニシャンプー容器に小分けして収納し、洗面器本体と一緒に銭湯や温泉に持ち運ぶことができまた、軽量でコンパクトであるので、高齢者やその家族の負担も軽減される。また経費節減効果もある。
【考案の効果】
【０００５】  本考案のミニシャンプー容器付き洗面器は、本体の洗面器縁取りにシャンプー又はリンスを小分けして収納し、ミニシャンプー容器を取り付けて固定する複数の取付孔に設けて、それぞれの取付孔にミニシャンプー容器を取り付けて固定する。これによって、通常のサイズや大型のシャンプー容器から、ボディーシャンプー、トニックシャンプー、リンス等を銭湯や温泉に持ち運ぶことができ、軽量でコンパクトであるので、高齢者やその家族の負担も軽減される。また、経費節減効果も役立つ。
【図面の簡単な説明】
【０００６】
【図１】  本考案の実施形態を示す洗面器本体の斜視図である。
【図２】  ミニシャンプー容器の分解斜視図である。
【図３】  ミニシャンプー容器付き洗面器の斜視図である。
【考案を実施するための最良の形態】
【０００７】  以下、本考案の形態を図１〜図３に基づいて説明する。【０００８】  図においては、符号１０は洗面器本体で広幅縁１１に複数のミニシャンプー容器を取り付けて固定する取付孔１２〜１４を設けてミニシャンプー容器２０の首部をそれぞれ取付孔１２〜１４に下から上に差して、シャンプー容器口１９にキャップ１７を回転して装着し広幅縁に取付け固定している。【０００９】  また、それぞれのミニシャンプー容器２０にはそれぞれリンス、トニックシャンプー、ボディシャンプーを適量入れておくようにする。【００１０】  ミニシャンプー容器２０のキャップ１７に設けられた液体排出口１６は子供や高齢者にも自由に、左右前後に排出口１６の向きを変えられるように調整可能である。いずれかの手押し１５を上から下に押し下げると、ミニシャンプー容器２０内の液体が、吸液パイプ１８を通り、液体排出口１６から排出する。それぞれのボディーシャンプー、トニックシャンプー、リンスが使い分けできる。また手押し１５を上から下に押して密閉でき、洗面器本体１０内のお湯とミニシャンプー容器２０内の液体が混合しない効果も発揮できる。【００１１】  洗面器本体１０の広幅縁１１のミニシャンプー容器取付孔１２〜１４に装着したミニシャンプー容器２０の手押し１５を上から下に押すと、シャンプー容器内２０の液体が吸液パイプ１８を通り液体排出口１６から手押し１５を押す回数ごとに、液体が排出するのでいずれかの液体を手の平で受け止めて使用できる。又密閉する時、手押し１５を上から下に押して右にねじこむと密閉が終了する。又、手押し１５を押して左に回わすと、密閉が解除される。
【符号の説明】
【００１２】１０  洗面器本体
１１  広幅縁
１２  ミニシャンプー容器の取付孔
１３  ミニシャンプー容器の取付孔
１４  ミニシャンプー容器の取付孔
１５  手押し
１６  液体排出口
１７  キャップ
１８  吸液パイプ
１９  シャンプー容器口
２０  ミニシャンプー容器
【図１】
0003167789.tif 000003
【図２】
0003167789.tif 000004
【図３】
0003167789.tif 000005